(57)【要約】【課題】  洗い場を狭めずに給水，給湯配管を防水パン上に立ち上げることができ、ユニット業者の責任において、防水パンの施工と同時に配管の接続作業を行うことができる浴室ユニットを提供する。【解決手段】  洗い場２ａを形成する洗い場防水パン２における浴槽エプロン４が取り付けられる１辺の一部又は全部に、エプロン４の表面よりも浴槽３側へ出っ張る出張部２ｄ，２ｄを設け、この出張部２ｄ，２ｄに、給水７ａ，給湯７ｂの配管を立ち上げるための配管用孔２ｅ，２ｅを形成して構成する。【選択図】  図１
2006312820.tif 000002
【特許請求の範囲】
【請求項１】
洗い場を形成する洗い場防水パンにおける浴槽エプロンが取り付けられる１辺の一部又は全部に、前記エプロン表面よりも浴槽側へ出っ張る出張部を設け、該出張部に給水給湯管を立ち上げるための配管用孔を形成したことを特徴とする浴室ユニット。
【請求項２】
請求項１に記載の洗い場防水パンと、エプロンと、浴槽に３分割した浴室ユニットであって、前記エプロンの一部又は全部に、浴槽側へ凹ませて配管立ち上げ用の配管室を形成したことを特徴とする浴室ユニット。
【発明の詳細な説明】
【技術分野】
【０００１】
本発明は、浴室ユニットに関するものである。
【背景技術】
【０００２】
従来、浴室ユニットの床面を構成する防水パンの構造として、例えば特許文献１に開示されているようなものがある。
この構造では、浴槽側防水パンの壁側隅部から室内に給水及び給湯の配管を立ち上げることができるように構成したものである。
【特許文献１】特開２００３−２１０３５１号公報
【発明の開示】
【発明が解決しようとする課題】
【０００３】
特許文献１に開示されているような構造では、浴槽側防水パンが存在しないタイプでは、浴室ユニットの室内に給水，給湯の配管が立ち上がってこないため、給水，給湯配管に浴室ユニットの外側で配管を繋ぐ作業が必要となり、この浴室ユニットの外側での配管接続作業は、浴室ユニットを施工するユニット業者の仕事の範囲ではなく、給水，給湯配管を施工する設備業者の仕事となるため、設備業者が給水，給湯配管を立ち上げた後に、ユニット業者が浴室ユニットの防水パンを施工し、その後、再び設備業者が浴室ユニット内に配管を引き込むために、前に立ち上げた給水，給湯配管との接続作業を行うこととなる。そうなると設備業者とユニット業者との間での仕事の段取り上、待ち時間が生じてしまうこととなり、また、配管の接続作業における責任分担が何れの業者であるのかが不明なものとなり、配管の接続部分での漏水の虞が発生し易くなるという問題点があった。
【課題を解決するための手段】
【０００４】
本発明は上記従来の問題点に鑑み案出したものであって、ユニット業者により配管接続作業を行うことができて、責任分担が明瞭なものとなり、漏水の発生が生じ難くなる浴室ユニットを提供するものであり、その請求項１は、洗い場を形成する洗い場防水パンにおける浴槽エプロンが取り付けられる１辺の一部又は全部に、前記エプロン表面よりも浴槽側へ出っ張る出張部を設け、該出張部に給水給湯管を立ち上げるための配管用孔を形成したことである。
【０００５】
また、請求項２は、請求項１に記載の洗い場防水パンと、エプロンと、浴槽に３分割した浴室ユニットであって、前記エプロンの一部又は全部に、浴槽側へ凹ませて配管立ち上げ用の配管室を形成したことである。
【発明の効果】
【０００６】
本発明の浴室ユニットは、洗い場防水パンにおける浴槽エプロンが取り付けられる１辺の一部又は全部に、エプロン表面よりも浴槽側へ出っ張る出張部を設け、出張部に給水給湯管を立ち上げるための配管用孔を形成したことにより、洗い場を狭めることなく、給水，給湯配管を防水パン上に立ち上げることができ、浴室ユニットの室内側で、ユニット業者により配管の接続作業を責任を持って行うことができるものとなる。
【０００７】
また、エプロンの一部又は全部に、浴槽側へ凹ませて配管立ち上げ用の配管室を形成したことにより、エプロンに形成された配管室内に給水，給湯配管を立ち上げて、洗い場を狭めることなく良好に給水，給湯配管を浴室ユニットの室内側に立ち上げることができ、配管室内でユニット業者により配管の接続を責任を持って行うことができるものとなる。
【実施例】
【０００８】
以下、本発明の実施例を図面に基づいて説明する。
図１は、浴室ユニットの床面側の組付状態の斜視構成図である。
図において、浴室ユニット１は、洗い場２ａを形成する洗い場防水パン２と、浴槽３と、エプロン４とに３分割されており、洗い場防水パン２は、図２の斜視図で示すように、洗い場面２ａの外周３辺に立ち上げ状に水切立片２ｂ，２ｂ，２ｂが一体形成されて、浴槽側の１辺には、上方へ突出して堤防部２ｃが一体形成され、この堤防部２ｃ上にエプロン４が立設されるものである。
【０００９】
本例では、この堤防部２ｃから更に浴槽側へ出っ張って左右側に出張部２ｄ，２ｄが一体形成されており、左右の出張部２ｄ，２ｄには、それぞれ２個の配管用孔２ｅ，２ｅが上下に貫通形成されている。
なお、出張部２ｄ，２ｄ間の中央部は、堤防部２ｃ側へ凹んだ凹部２ｆとなっている。
【００１０】
また、エプロン４は、図３の斜視図で示すような構造となっており、エプロン４には左右に浴槽側へ凹んで配管室Ｓ１，Ｓ２が形成されており、この配管室Ｓ１，Ｓ２は、それぞれ洗い場防水パン２の左右の出張部２ｄ，２ｄ上に整合される位置に一体形成されたものである。
なお、左右の配管室Ｓ１，Ｓ２には、表側、即ち洗い場２ａ側からそれぞれ蓋６，６を被せて覆蓋することができるように構成されている。
【００１１】
なお、図４は、配管室Ｓ２側の組付状態の縦断面構成図を示しており、エプロン４の表面を構成する表面部４ａから浴槽３側へ略水平状に上面片４ｄが形成され、上面片４ｄから垂下状に背壁部４ｅが形成され、この背壁部４ｅが配管室Ｓ２の背壁となるものである。
背壁部４ｅの下端から水平に浴槽３側へ突出して固定部４ｆが一体形成されており、この固定部４ｆが接続ボルト５を介して洗い場防水パン２の出張部２ｄに固定されるものである。
【００１２】
また、エプロンの表面片部４ｆの上端から浴槽３側へ水平に延びて水平片４ｂが一体形成され、水平片４ｂの後端から上方へ立ち上げて引掛け片４ｃが一体形成され、この引掛け片４ｃを浴槽３のフランジ部３ａの裏側へ引掛けて、エプロン４の上端が浴槽３に係合されるものである。
また、配管室Ｓ２の部分では、洗い場防水パン２の堤防部２ｃ上に蓋６が載った状態で、蓋６が配管室Ｓ２に被せられるものであり、被せられた状態では、蓋６の表面部６ａがエプロン４の表面部４ａと面一状をなして、エプロン４の表面を形成することとなる。
【００１３】
設備業者により、予め給水配管７ａと給湯配管７ｂが立ち上げ状に施工されており、その状態でユニット業者が現場に入り、洗い場防水パン２を高さ調整して施工するのであるが、この時に、給水配管７ａ及び給湯配管７ｂを、洗い場防水パン２の出張部２ｄの配管用孔２ｅ，２ｅ内を通して上方へ立ち上げさせることができ、エプロン４の配管室Ｓ２内で、給水配管７ａ及び給湯配管７ｂの上端と横引き接続配管９又は立上接続配管１０を接続部８を介して接続することができるものである。
【００１４】
横引き接続配管９は、蓋６に貫通形成されている配管通し孔６ｃを通して横方向に洗い場２ａ側へ引き出し、例えば板状に水平に設置されるカウンター内等に配管させて、この横引き接続配管９の先端側に水栓を良好に取り付けることができるものである。
また、接続部８を介して立上接続配管１０を接続する場合には、立上接続配管１０は、浴槽３のフランジ部３ａに設置されるデッキ水栓に接続されるものである。
【００１５】
このように、配管室Ｓ２内で、ユニット業者の手で接続部８を介して接続配管９又は１０を接続することができ、ユニット業者が責任を持って漏水を確実に防いで配管接続作業を行うことができ、設備業者との作業待ち合わせ等を行うことなく、設備業者の配管施工後に、ユニット業者のスケジュールで良好に防水パン２及び浴槽３の施工と同時に配管接続作業を行えるものとなる。
【００１６】
なお、図５の要部拡大斜視図で示すように、給水配管７ａ及び給湯配管７ｂは、出張部２ｄに固設した外周にネジを有する筒状の固定部材１１，１１内を通して防水パン上に立ち上げ、その後にゴムキャップ１２をナット１３を介して固定部材１１に固定させて、配管７ａ，７ｂの立上がり部におけるシール性が確保されるものである。
【００１７】
なお、本例では、配管室Ｓ２内に配管７ａ，７ｂを立ち上げた場合を例示しているが、ＬＲの逆の現場に施工する場合等には、配管室Ｓ１内に配管７ａ，７ｂが立ち上げられるものであり、この場合は、配管室Ｓ１を覆蓋する蓋６に配管通し孔６ｃ，６ｃを形成させておくことができるものである。
【００１８】
なお、更に本例では、洗い場防水パン２の左右側に出張部２ｄ，２ｄを形成させたものを例示しているが、この出張部２ｄは、凹部２ｆの部分、即ち中央部に浴槽側へ突出して形成されたものであっても良く、また、左右の出張部２ｄ，２ｄが連続して、堤防部２ｃの浴槽側全体に出張部が形成されたものであっても良い。
なお、中央部に出張部２ｄが形成されているような洗い場防水パン２を使用する場合には、エプロン４側の配管室もエプロン４の中央部に凹み状に形成されることとなる。
【００１９】
なお、図１のような３分割タイプではなく、洗い場防水パン２に浴槽パン１４が接続されるようなタイプにおいては、図６に示すように、洗い場防水パン２の凹部２ｆに整合する凸部１４ａを形成した浴槽パン１４が設けられることとなる。
即ち、洗い場防水パン２に形成されている出張部２ｄ，２ｄに対応した形に形成した浴槽パン１４が設けられることとなる。
【図面の簡単な説明】
【００２０】
【図１】洗い場防水パンと浴槽とエプロンの３分割タイプの浴室ユニットの組立状態の斜視構成図である。
【図２】図１における洗い場防水パンの斜視構成図である。
【図３】図１におけるエプロンの斜視構成図である。
【図４】洗い場防水パンと浴槽間にエプロンを組み付けた状態の縦断面構成図である。
【図５】給水及び給湯配管を立ち上げる部分のシール性を確保するための構成部材の斜視構成図である。
【図６】洗い場防水パンに設けられる浴槽パンの一例を示す斜視構成図である。
【符号の説明】
【００２１】
１  浴室ユニット
２  洗い場防水パン
２ａ  洗い場
２ｂ  水切立片
２ｃ  堤防部
２ｄ  出張部
２ｅ  配管用孔
２ｆ  凹部
３  浴槽
３ａ  フランジ部
４  エプロン
４ａ  表面部
４ｂ  水平片
４ｃ  引掛け片
４ｄ  上面片
４ｅ  背壁部
４ｆ  固定部
５  接続ボルト
６  蓋
６ａ  表面部
６ｃ  配管通し孔
７ａ，７ｂ  配管
８  接続部
９  横引き接続配管
１０  立上接続配管
１４  浴槽パン
１４ａ  凸部
Ｓ１，Ｓ２  配管室
【図１】
2006312820.tif 000003
【図２】
2006312820.tif 000004
【図３】
2006312820.tif 000005
【図４】
2006312820.tif 000006
【図５】
2006312820.tif 000007
【図６】
2006312820.tif 000008